(57)【要約】  【課題】  任意の領域を指定して該領域内に含まれる画像データを複写する際に，この画像データに複写制限回数が設定されているか否かを判断し，複写制限回数以内の場合のみ複写を実行する画像処理装置を提供すること。  【解決手段】  制限対象となる画像データｘ，ｙ，ｚは制限対象画像データ記憶部１２２に記憶され，これにそれぞれ対応する複写制限回数ｎx，ｎy，ｎzが制限回数記憶部１２３に，制限対象画像データｘ，ｙ，ｚが実際に複写された回数ｍx，ｍy，ｍzが複写回数記憶部１２４に記憶される。  制御部１００は，取得した画像データを制限対象画像データ記憶部に記憶された画像データｘ，ｙ，ｚと照合し，いずれかと一致する場合には，前記複写制限回数ｎと複写回数ｍとに基づいて複写を実行するか禁止するか制御する。【選択図】  図２
2005217805.tif 000002
【特許請求の範囲】
【請求項１】
適宜の原稿画像データ取得手段によって取得された原稿画像データを記憶する原稿画像データ記憶部と，前記原稿画像データ記憶部に記憶された複写元となる第１の原稿画像データの任意の領域を指定する複写元領域指定手段と，前記複写元領域指定手段によって指定された前記領域内の画像データを抽出する指定領域内画像データ抽出手段と，前記原稿画像データ記憶部に記憶された複写先原稿となる第２の原稿の任意の領域を指定する複写先領域指定手段と，前記複写先領域指定手段によって指定された複写先である前記第２の原稿上の領域へ前記指定領域内画像データを複写する複写実行手段とを具備してなる画像処理装置において，
複写制限の対象である画像データを記憶する制限対象画像データ記憶部と，
前記制限対象画像データ記憶部に記憶された制限対象画像データ各々に対応する複写制限回数を記憶する制限回数記憶部と，
前記制限対象画像データ記憶部に記憶された制限対象画像データ各々が実際に複写された回数を記憶する複写回数記憶部と，
を有し，
前記指定領域内画像データ抽出手段によって抽出された前記指定領域内画像データと前記制限対象画像データ記憶部に記憶された制限対象画像データとを照合する画像データ照合手段と，
前記画像データ照合手段によって前記指定領域内画像データと前記制限対象画像データが一致すると判断された場合には，前記複写回数記憶部に記憶された複写回数を更新する複写回数更新手段と，
前記複写回数更新手段によって更新された前記複写回数と前記制限回数記憶部に記憶された前記複写制限回数に基づいて，前記複写先領域指定手段によって指定された複写先である前記第２の原稿上の領域へ前記指定領域内画像データの複写を実行し，複写を禁止するよう制御する複写実行制御手段と，
を具備してなることを特徴とする画像処理装置。
【請求項２】
前記複写回数更新手段によって更新された前記複写回数が前記制限回数記憶手段に記憶された前記制限回数と所定の関係となった場合には，警報を発する請求項１に記載の画像処理装置。
【請求項３】
前記画像データ照合手段によって前記指定領域内画像データと前記制限対象画像データが一致しないと判断された場合には，前記複写実行手段では複写を実行する請求項１または２のいずれかに記載の画像処理装置。
【請求項４】
前記画像データ照合手段によって前記制限対象画像データと一致しないと判断された前記指定領域内画像データについて，新たに制限対象画像データとして登録するか否かを選択する制限対象画像データ登録選択手段と，
前記制限対象画像データ登録選択手段によって新たに制限対象画像データとして登録された制限対象画像データについて複写制限回数を設定する複写制限回数設定手段と，
前記制限対象画像データ登録選択手段によって新たに制限対象画像データとして登録された画像データを前記制限対象画像データ記憶部に格納する制限対象画像データ格納手段と，
前記複写制限回数設定手段によって設定された複写制限回数を前記制限対象画像データ格納手段によって前記制限対象画像データ記憶部に格納された前記制限対象画像データに対応付けて，前記制限回数記憶部に格納する制限回数格納手段と，
を具備してなる請求項３に記載の画像処理装置。
【請求項５】
前記複写元領域指定手段によって指定された一又は複数の複写元指定領域を前記複写先領域指定手段によって指定された一又は複数の複写先指定領域と対応付ける複写先指定領域対応付け手段を具備してなる請求項１ないし４のいずれかに記載の画像処理装置。
【請求項６】
前記制限対象画像記憶部と前記制限回数記憶部と前記複写回数記憶部とがネットワーク上に接続された共有サーバ上に設置されてなる請求項１ないし５のいずれかに記載の画像処理装置。
【請求項７】
前記原稿画像データ記憶部に記憶された前記原稿画像データを表示する表示部を有し，
前記表示部上で，前記複写元である第１の原稿の原稿画像データの任意の領域を指定する請求項１ないし６のいずれかに記載の画像処理装置。
【請求項８】
前記複写元領域指定手段によって指定された前記複写元である第１の原稿上の指定領域サイズと前記複写先領域指定手段によって指定された前記複写先である第２の原稿上の指定領域サイズとを認識する指定領域サイズ認識手段と，
前記指定領域サイズ認識手段によって認識された前記複写元である第１の原稿上の指定領域サイズと前記複写先である第２の原稿上の指定領域サイズとが異なる場合には，前記複写元である第１の原稿上の指定領域サイズを基準として前記複写先である第２の原稿上の指定領域サイズの倍率をｘ軸方向，ｙ軸方向について夫々算出する指定領域サイズ倍率算出手段と，
前記指定領域サイズ倍率算出手段によって算出された指定領域サイズのｘ軸方向，ｙ軸方向の倍率に基づいて前記指定領域内画像データ抽出手段によって抽出された前記指定領域内画像データを拡大・縮小する画像データ拡大縮小手段と，
を具備してなる請求項１ないし７のいずれかに記載の画像処理装置。
【請求項９】
前記制限対象画像データ記憶部に記憶された制限対象画像データを読み出して複写する制限対象画像データ読出複写手段を具備してなる請求項１ないし８のいずれかに記載の画像処理装置。
【請求項１０】
入力されたユーザＩＤ及びパスワードによってユーザを認証するユーザ認証手段と，
前記ユーザ認証手段によって認証されたユーザの属性を識別するユーザ属性識別手段と，
前記ユーザ属性識別手段によって識別されたユーザの属性に従って複写制限の内容を設定する複写制限内容設定手段と，
を具備してなる請求項１ないし９のいずれかに記載の画像処理装置。
【請求項１１】
前記指定領域内画像データ抽出手段によって抽出された一又は複数の前記指定領域内画像データ及び／若しくは前記制限対象画像データ読出複写手段によって読み出された一又は複数の画像データをメモリ上で合成する画像データ合成手段と，
前記画像データ合成手段によってメモリ上で合成された画像データを新たな原稿上に出力する合成画像データ出力手段と，
を具備してなる請求項１ないし１０のいずれかに記載の画像処理装置。
【発明の詳細な説明】
【技術分野】
【０００１】
本発明は，画像データを読み取ったり，メモリに記憶された画像データにアクセスしたりして，画像データを取得し，この取得した画像データを複写する等の処理を施す画像処理装置に係る。
【背景技術】
【０００２】
複数の原稿上の任意の領域内に存在する画像データ（画像データとして取得される文字データを含む。以下同じ。）を１枚の原稿上に複写し，一の画像データを作ろうとする場合，複写元の原稿の前記領域の画像を切り取りあるいは複写して，他の原稿上に貼り付け，この切り貼りされた原稿を複写機等によって複写する必要があった。
そこで，このような煩わしい作業を伴わずに指定した領域内の画像データを他の原稿上に領域を指定して複写する技術がある（例えば，特許文献１参照。）。この技術によれば，図５に示すように，複写元である原稿Ａ上にマークＭAを記入し，該マークＭAを検出させることで複写元原稿Ａ上の任意の領域ＴAを指定し，該領域ＴA内に含まれる画像データａを抽出し，該画像データａを複写先である原稿Ｂの任意の領域ＴBへ複写する。
ここで，複写元原稿Ａの一部領域内に含まれる画像データａを無制限に複写することが必ずしも好ましくない場合もある。例えば，ある書類の重要部分を機密文書とし特定の者に対してのみコピーを配布したい場合や，ある原稿にロゴマークが含まれており該ロゴマークの濫用を防止したい場合等である。
このような場合，前記従来技術では複写に制限を課すことができず，無制限に複写が実行されてしまうという問題点があった。
【特許文献１】特開平５−２９２２９４号公報
【発明の開示】
【発明が解決しようとする課題】
【０００３】
本件発明は，以上のような従来技術の問題点を解決することを目的とするものであり，一部領域を指定して，該領域内に含まれる画像データを抽出後，該画像データを他の原稿上の任意の領域に複写する画像処理装置において，複写に所定の制限を課す技術を提供することを課題とする。
【課題を解決するための手段】
【０００４】
以上のような課題を解決するために本発明は，
適宜の原稿画像データ取得手段によって取得された原稿画像データを記憶する原稿画像データ記憶部と，前記原稿画像データ記憶部に記憶された複写元となる第１の原稿画像データの任意の領域を指定する複写元領域指定手段と，前記複写元領域指定手段によって指定された前記領域内の画像データを抽出する指定領域内画像データ抽出手段と，前記原稿画像データ記憶部に記憶された複写先原稿となる第２の原稿の任意の領域を指定する複写先領域指定手段と，前記複写先領域指定手段によって指定された複写先である第２の原稿上の領域へ前記指定領域内画像データを複写する複写実行手段とを具備してなる画像処理装置において，複写制限の対象である画像データを記憶する制限対象画像データ記憶部と，前記制限対象画像データ記憶部に記憶された制限対象画像データ各々に対応する複写制限回数を記憶する制限回数記憶部と，前記制限対象画像データ記憶部に記憶された制限対象画像データ各々が実際に複写された回数を記憶する複写回数記憶部とを有し，前記指定領域内画像データ抽出手段によって抽出された前記指定領域内画像データと前記制限対象画像データ記憶部に記憶された制限対象画像データとを照合する画像データ照合手段と，前記画像データ照合手段によって前記指定領域内画像データと前記制限対象画像データが一致すると判断された場合には，前記複写回数記憶部に記憶された複写回数を更新する複写回数更新手段と，前記複写回数更新手段によって更新された前記複写回数と前記制限回数記憶部に記憶された前記複写制限回数とに基づいて，前記複写先領域指定手段によって指定された複写先である第２の原稿上の領域へ前記指定領域内画像データの複写を実行し，あるいは複写を禁止するよう制御する複写実行制御手段とを具備してなることを特徴とする画像処理装置として構成される。
【０００５】
前記複写回数更新手段によって更新された前記複写回数が前記制限回数記憶手段に記憶された前記制限回数と所定の関係となった場合には，警報を発する構成とすれば，複写制限回数を超えて複写しようとした場合等にユーザにその旨知らせることができ，より好適である。
【０００６】
前記画像データ照合手段によって前記指定領域内画像データと前記制限対象画像データが一致しないと判断された場合には，前記複写実行手段では複写を実行する。
【０００７】
前記画像データ照合手段によって前記制限対象画像データと一致しないと判断された前記指定領域内画像データについて，新たに制限対象画像データとして登録するか否かを選択する制限対象画像データ登録選択手段と，前記制限対象画像データ登録選択手段によって新たに制限対象画像データとして登録された制限対象画像データについて複写制限回数を設定する複写制限回数設定手段と，前記制限対象画像データ登録選択手段によって新たに制限対象画像データとして登録された画像データを前記制限対象画像データ記憶部に格納する制限対象画像データ格納手段と，前記複写制限回数設定手段によって設定された複写制限回数を前記制限対象画像データ格納手段によって前記制限対象画像データ記憶部に格納された前記制限対象画像データに対応付けて，前記制限回数記憶部に格納する制限回数格納手段とを具備してなる画像処理装置とすれば，予め制限対象画像データとして記憶されたデータ以外にも，読み取った画像データを新たに制限対象画像データとして，適宜登録することが可能となる。
【０００８】
前記複写元領域指定手段によって指定された一又は複数の複写元指定領域と前記複写先領域指定手段によって指定された一又は複数の複写先指定領域とを対応付ける指定領域対応付け手段を具備していれば，前記複写元指定領域及び／若しくは前記複写先指定領域が複数の場合であっても処理を行うことができる。
【０００９】
前記制限対象画像記憶部と前記制限回数記憶部と前記複写回数記憶部とがネットワーク上に接続された共有サーバ上に設置されることにより，同一機器においてだけでなく，同一ネットワーク上で前記制限回数に基づいて複写制限を課すことが可能となり，より好適である。
【００１０】
前記原稿画像データ記憶部に記憶された前記原稿画像データを表示する表示部を有し，前記表示部上で，前記複写元である第１の原稿画像データの任意の領域を指定することも可能である。
【００１１】
前記複写元領域指定手段によって指定された前記複写元である第１の原稿上の指定領域サイズと前記複写先領域指定手段によって指定された前記複写先である第２の原稿上の指定領域サイズとを認識する指定領域サイズ認識手段と，前記指定領域サイズ認識手段によって認識された前記複写元である第１の原稿上の指定領域サイズと前記複写先である第２の原稿上の指定領域サイズとが異なる場合には，前記複写元である第１の原稿上の指定領域サイズを基準として前記複写先である第２の原稿上の指定領域サイズの倍率をｘ軸方向，ｙ軸方向について夫々算出する指定領域サイズ倍率算出手段と，前記指定領域サイズ倍率算出手段によって算出された指定領域サイズのｘ軸方向，ｙ軸方向の倍率に基づいて前記指定領域内画像データ抽出手段によって抽出された前記指定領域内画像データを拡大・縮小する画像データ拡大縮小手段とを具備してなる画像処理装置として構成すれば，複写元である前記第１の原稿上の指定領域サイズと複写先である前記第２の原稿上の指定領域サイズとが異なっていても対応可能となる。
【００１２】
前記制限対象画像データ記憶部に記憶された制限対象画像データを読み出して複写する制限対象画像データ読出複写手段を具備する構成にすることによって，画像データを取得するために都度原稿を読み取るだけでなく，制限の範囲内であれば，予め制限対象画像データとして記憶された画像データを利用することも可能となる。
【００１３】
入力されたユーザＩＤ及びパスワードによってユーザを認証するユーザ認証手段と，前記ユーザ認証手段によって認証されたユーザの属性を識別するユーザ属性識別手段と，前記ユーザ属性識別手段によって識別されたユーザの属性に従って複写制限の内容を設定する複写制限内容設定手段とを具備してなる画像処理装置として構成されていれば，例えば，所定の属性のユーザに対してのみ前記のような制限対象画像データとして記憶された画像データの利用を許可する等の処理も可能となる。
【００１４】
前記指定領域内画像データ抽出手段によって抽出された一又は複数の指定領域内画像データ及び／若しくは前記制限対象画像データ読出複写手段によって読み出された一又は複数の画像データをメモリ上で合成する画像データ合成手段と，前記画像データ合成手段によってメモリ上で合成された画像データを新たな原稿上に出力する合成画像データ出力手段とを具備してなる画像処理装置であれば，複写先原稿は新たな原稿であり，元の原稿には一切変更が加えられないため，より望ましい。
【発明の効果】
【００１５】
以上，本発明によれば，一部領域内の画像データを複写することができる画像処理装置において，その複写制限回数を設定することが可能となる。これによって，複写の濫用を防止したい画像があれば，これが含まれる原稿を複写しようとした際にも，前記複写制限回数を超えている場合，複写をすることができないよう制御される。特に該画像が著作権法上の保護対象であるような場合，著作権者が前記制限回数を設定することも可能である。
【００１６】
このような制限の対象となる画像データは，新規に登録していくこともできる。制限対象画像データを同一機器においてだけでなくネットワーク上において登録できる構成にすれば，同一ネットワーク上で同様の制限を課すことが可能となり，特に社内機密文書の濫用的複写を防止したいような場合に顕著な効果を期待することができる。
また，複写制限回数を設けることで紙の無駄使いを防止し，環境問題に貢献する画像処理装置を提供することができる。
【００１７】
さらに，以上のような複写制限の内容を，認証されたユーザの属性に応じて設定することができるため，ユーザの役職等に応じて複写制限回数を設けるなど，より柔軟な対応が可能となる。
【発明を実施するための最良の形態】
【００１８】
以下添付図面を参照して，本発明の実施の形態及び実施例につき説明し，本発明の理解に供する。尚，以下の実施の形態及び実施例は本発明を具体化した一例であって，本発明の技術的範囲を限定する性格のものではない。
ここに，図１は本発明の実施の形態に係る画像処理装置の一例であるディジタル複写機の概略構成を示す模式断面図，図２は前記ディジタル複写機に設けられた画像処理制御装置の概略構成を示すブロック図，図３および図４は本発明の実施の形態に係る画像処理装置の一例であるディジタル複写機に設けられた画像処理制御装置内の制御部において実行されるデータ及びプログラム処理手順を示すフロー図，図５は複写元原稿の一部領域を指定して，該領域に含まれる画像データを抽出し，複写先原稿に複写する本発明の背景技術に係る概念図である。
まず，図１の模式断面図及び図２のブロック図を用いて，本発明の実施の形態に係るディジタル複写機Ｄの概略構成について説明する。
図１に示すように，ディジタル複写機Ｄには，ＡＤＦ（Ａｕｔｏ Ｄｏｃｕｍｅｎｔ Ｆｅｅｄｅｒ）１０から送り出され，搬送路１１内で搬送される原稿Ｓの表面Ｆに対して露光を行う露光装置２１と，該露光装置２１によって原稿表面Ｆに照射された照射光を導くミラー２２ａ，２２ｂ，２２ｃと，上記ミラー２２ｃに導かれた反射光を集光する光学レンズ２３と，この光学レンズ２３により集光された反射光を受光するＣＣＤ２４と，該ＣＣＤ２４によって受光された反射光に基づいて画像処理を実行する画像処理制御装置２０とが備えられている。このＣＣＤ２４は受光した反射光に含まれる画像情報を上記画像処理制御装置２０が読み取り得る電気信号に変換するものである。
【００１９】
前記画像処理制御装置２０は，図２に示すように，ＣＣＤ読取回路１１０（画像データ取得手段の一例），記憶部１２０，及び，これらの各部を制御するＣＰＵ，ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）等からなる制御部１００とにより構成されている。
前記ＣＣＤ読取回路１１０は，前記ＣＣＤ２４により変換された電気信号を読み取ってディジタル画像データに変換する回路である。前記
記憶部１２０は，ＲＡＭ等の半導体メモリから成り，ＣＣＤ読取回路１１０によって変換された原稿のディジタル画像データを一時的に記憶する原稿画像データ記憶部１２１，複写制限の対象である画像データを記憶する制限対象画像データ記憶部１２２，前記制限対象画像データ記憶部に記憶された制限対象画像データ各々に対応する複写制限回数を記憶する制限回数記憶部１２３，及び前記制限対象画像データ記憶部に記憶された制限対象画像データ各々が実際に複写された回数を記憶する複写回数記憶部１２４によって構成される。
前記制御部１００は，後述するようにこれら各部を制御して，取得した画像データの一部領域を指定して，該領域に含まれる画像データを複写するに際して，該領域に含まれる画像データに制限回数が設定されているか否かを判断すると共に，制限回数以内である場合にのみ複写を実行するよう制御する。
【００２０】
次に，図１の模式断面図を用いて，本発明の実施の形態に係るディジタル複写機Ｄによる画像データ取得手段の一例である画像データの読み取り動作について説明する。
ユーザによって装置の外装前面部に配置される図示しない操作パネルのスタートキーが操作されると，図示しないメイン駆動モータが始動し，原稿Ｓが搬送路１１に送り出される。
原稿Ｓが搬送路１１のＵ字状部を通過すると，原稿Ｓの先端部は，原稿表面Ｆの画像データがＣＣＤ２４により読み取られる位置Ｐ点に到達する。Ｐ点では，露光装置２１によって原稿表面Ｆに対する露光が開始される。原稿表面Ｆに照射された照射光は，原稿Ｓの画像情報を含む反射光（原稿からの反射光）となり，この反射光は，第１ミラー２２ａから第２ミラー２２ｂ，第３ミラー２２ｃを経由して光学レンズ２３に導かれ，この光学レンズ２３により集光された反射光がＣＣＤ２４によって受光される。
前記ＣＣＤ２４において受光された反射光は，画像情報を含む電気信号に変換され，変換された電気信号は，前記ＣＣＤ読取回路１１０において前記画像処理制御部１００により電気信号に対応したディジタル画像データに変換され，原稿画像データ記憶部１２１に記憶される。
また，ディジタル複写機Ｄによる画像データ取得手段の他の例として，ディジタル複写機Ｄのメモリ（例えば，制限対象画像データ記憶部１２２）に記憶された画像データにアクセスして読み出す，あるいはネットワーク上に接続された他の情報処理装置のメモリに記憶された画像データにアクセスして読み出す等により画像データを取得する場合等が含まれる。
【００２１】
続いて，図３のフローチャートを及び図５の概念図を用いて，本発明の実施の形態に係る画像処理装置の一例であるディジタル複写機Ｄに設けられた画像処理制御装置２０内の制御部１００において実行されるデータ及びプログラム処理手順について説明する。ここでは，図５に示す２枚の原稿Ａ及びＢを読み取り，複写元である原稿Ａ中の任意の領域ＴA内に含まれる画像データａを複写先である原稿Ｂ上の領域ＴBに複写する場合について説明する。尚，前記制限対象画像データ記憶部１２２には制限対象画像データとして画像データｘ，ｙ，ｚが記憶されており，制限回数記憶部１２３には前記制限対象画像データｘ，ｙ，ｚに対応する複写制限回数としてそれぞれｎx，ｎy，ｎzが記憶されており，前記複写回数記憶部には前記制限対象画像データｘ，ｙ，ｚが実際に複写された回数としてそれぞれｍx，ｍy，ｍzが記憶されていることを前提とする。
まず，前記画像データ取得手段により原稿Ａ及び原稿Ｂがそれぞれ読み取られ，その画像データが前記原稿画像データ記憶部１２１に一時的に記憶される（ステップ００１）。次に原稿Ａ内の任意の領域ＴAが複写元領域として，原稿Ｂ内の任意の領域ＴBが複写先領域として，それぞれ指定される（ステップ００２）。ここで領域指定は，例えば従来技術と同様に所定のマークＭA，ＭBを原稿上に直接書き込み，これを検出させることによってなされる。または，ディジタル複写機Ｄに表示部を設け，該表示部上に前記原稿画像記憶部１２１に記憶された原稿画像を表示し，表示部上で前記領域ＴA及び／若しくはＴBを指定する構成とすれば，元の原稿上にマークＭA及びＭBを記入する必要がなく，元の原稿がそのままに保持され，好適である。表示部上で領域指定する具体的な手順としては，例えば，表示部上に表示された原稿画像上の任意の２点をポインタ等で指示すれば，その２点を対角線とする矩形領域を指定したこととする手順等が考えられる。
続いて，前記複写元領域ＴA内に含まれる画像データａが抽出され（ステップ００３），該画像データａは，前記制限対象画像データ記憶手段に記憶された制限対象画像データｘ，ｙ及びｚとそれぞれ照合される（ステップ００４／画像データ照合手段に相当）。
ここで，例えば画像データａが画像データｘと一致すると判断された場合（ステップ００５），前記複写回数記憶部に記憶された複写回数のうち，データｘに対応する複写回数であるｍxが更新される（ステップ００６／複写回数更新手段に相当）。ここでは例えばｍxがｍx＋１に更新されるとする。
次に，前記更新後の複写回数ｍxと，前記制限回数記憶部に記憶された画像データｘに対応する制限回数ｎxが所定の関係にあるか否かの判断がなされる（ステップ００７）。この例では，前記所定の関係とは，前記更新後の複写回数ｍxが前記制限回数ｎx以下の関係である。
続いて前記更新後の複写回数ｍxと前記制限回数ｎxとが，前記所定の関係，即ちｍx≦ｎxの関係を有する場合にのみ領域ＴA内の画像ａを領域ＴBに複写する処理が実行される（ステップ００８／複写実行制御手段に相当）。
また，前記更新後の複写回数ｍxが前記制限回数ｎx以上の場合，即ちｍx≧ｎxの関係となる場合には，複写ができない旨の警報を表示する（ステップ００９）。
なお，上記実施の形態では，前記複写回数更新手段（ステップ００６）においてｍxがｍx＋１に更新される場合を示したが，ｍxがｍx−１に更新されても良い。この場合，例えば，ｍxの初期値がｍx＝ｎxとして設定され，ステップ００７においては，更新後のｍxが０以上の場合のみ複写が実行される等の構成とすることもできる。
【００２２】
前記ステップ００５において画像データａが，いずれの制限対象画像データｘ，ｙ，ｚとも一致しないと判断された場合，複写が実行される（ステップ０１０）。
【００２３】
この場合において，前記画像データａを新たに制限対象画像データとして登録するか否かの選択をユーザに求め（ステップ０１１／制限対象画像データ登録選択手段に相当），ユーザが登録を選択する場合には，新規制限対象画像データの登録がなされることとなる。
図４は，新規制限対象画像データの登録手順を示すフロー図である。まず，制限対象画像データとして登録したい画像データについて制限回数ｎを何回とするかが，図示しない操作部からの入力によって設定される（ステップ０１２／複写制限回数設定手段に相当）。次に，前記制限対象画像データ登録選択手段によって新たに制限対象画像データとして登録された画像データａが，前記制限対象画像データ記憶部１２２に格納され（ステップ０１３／制限対象画像データ格納手段に相当），これに対応する前記制限回数設定手段によって設定された制限回数ｎが前記制限回数記憶部１２３に格納される（ステップ０１４／制限回数格納手段に相当）。
尚，上記実施の形態では，複写実行（ステップ０１０）の後に登録するか否かの選択が求められているが，複写実行前に前記選択を求める構成としても良く，このような場合も，本発明の範囲内である。
以上，本発明の実施の形態では，原稿Ａの複写元指定領域ＴAに含まれる画像データａを原稿Ｂの複写先指定領域ＴBへと複写する場合を例に説明したが，複写元指定領域及び／若しくは複写先指定領域は複数であっても良い。このような場合，指定領域対応付け手段によって，一又は複数の前記複写元指定領域それぞれの複写先である一又は複数の前記複写先指定領域が対応付けられる。
【実施例】
【００２４】
本発明に係る画像処理装置の一実施例として，図６に示すように，該画像処理装置をネットワークに接続し，前記制限対象画像データ記憶部１２２，前記制限回数記憶部１２３，前記複写回数記憶部１２４を前記ネットワーク上に接続された共有サーバＳＳ上に設置する構成とすることができる。
この場合，ディジタル複写機Ｄだけでなく，同じネットワーク上の他の画像処理装置ＥおよびＦにおいても，上記と同様の複写回数制限を課すことが可能となる。
さらに，前記制限対象画像データ記憶部１２２に記憶されている前記制限対象画像データにアクセスし，これを読み出して複写ができる構成（制限対象画像データ読出複写手段に相当）とすれば，ネットワーク上のすべての画像処理装置において，画像読取動作をすることなく，前記制限画像データ記憶部１２２に記憶された画像データの複写が可能となる。
【００２５】
また，前記複写元領域指定手段によって指定された複写元である第１の原稿Ａ上の指定領域ＴAのサイズと前記複写先領域指定手段によって指定された前記複写先である第２の原稿Ｂ上の指定領域ＴB´とのサイズを測定・認識し（指定領域サイズ認識手段に相当），これによって認識された前記指定領域ＴAと前記指定領域ＴB´とのサイズが異なる場合には，領域ＴAのサイズを基準として領域ＴB´のサイズの倍率をｘ軸方向，ｙ軸方向に夫々算出し（指定領域サイズ倍率算出手段に相当），この算出された倍率に基づいて指定領域内画像データａをｘ軸方向，ｙ軸方向にそれぞれ拡大・縮小して（画像データ拡大縮小手段に相当）得られる画像データａ´を複写する場合も本発明の一実施例として挙げられる。
図７に示される例では，複写元指定領域ＴAのサイズを基準とした複写先指定領域ＴB´のサイズはｘ軸方向に０．８倍，ｙ軸方向に１．２倍である。したがって，指定領域内画像データａをｘ軸方向に０．８倍，ｙ軸方向に１．２倍して得られる画像データａ´が，原稿Ｂ上に複写される。
これによって，複写元領域ＴAのサイズと複写先領域ＴBのサイズが異なる場合でも複写を実行することができるだけでなく，前記指定領域ＴBのサイズを変更するだけで，任意のサイズに拡大・縮小された新たな画像データａ´を得ることが可能となる。
複数の複写元領域から複写を実行する場合には，前記複写元領域それぞれのサイズを基準として前記指定領域対応付け手段によって対応付けられた複写先指定領域の前記倍率を算出し，該倍率に基づいて，それぞれの複写元指定領域から抽出された指定領域内画像データを拡大・縮小すれば良い。
【００２６】
ユーザがＩＤ及びパスワードを入力しなければ本発明に係る画像処理装置を使えないよう制御し，入力されたユーザＩＤ及びパスワードによってユーザを認証する（ユーザ認証手段に相当）とともに，前記ユーザ認証手段によって認証されたユーザの属性を識別し（ユーザ属性識別手段に相当），これにより識別されたユーザの属性に従って複写制限の内容を設定する（複写制限内容設定手段に相当）構成も考えられる。
このような構成にすることによって，ユーザの属性に応じて複写対象画像データを設定するあるいは複写制限回数を設定する等の個別設定が可能となる。
例えば，会社内の役職・部門に応じて，制限対象画像データの設定，あるいはそれらに対応する制限回数の設定等を行うことが可能となり，また，上述のように制限対象画像データ記憶部にアクセスして画像データを取得することができるユーザを特定の者に限定することも可能である。
【００２７】
また，図８は，原稿Ａ，Ｃを読み取り，原稿Ａ，Ｃ上における複写元領域ＴA及びＴCを指定し，指定領域内画像データの抽出によって取得された画像データａ，ｃをメモリ上で合成し（画像データ合成手段に相当），この合成によってあらたに作成された画像データｄを新たな原稿Ｎ上の指定された領域ＴNに複写する（合成画像データ出力手段に相当），本発明に係る画像処理装置の一実施例を示す概念図である。
このような構成にすれば，元の原稿ＡおよびＣ上には変更が加えられないため，元の原稿画像データを保存したい場合に好適である。
尚，本実施例では，原稿Ａ，Ｃを読み取ることで画像データａ，ｃを取得しているが，前記制限対象画像データ記憶部１２２から画像データを取得しても良い。
【図面の簡単な説明】
【００２８】
【図１】本発明の実施の形態に係る画像処理装置の一例であるディジタル複写機の概略構成を示す模式断面図。
【図２】本発明の実施の形態に係る画像処理装置の一例であるディジタル複写機に設けられた画像処理制御装置の概略構成を示すブロック図。
【図３】本発明の実施の形態に係る画像処理装置の一例であるディジタル複写機に設けられた画像処理制御装置内の制御部において実行されるデータ及びプログラム処理手順を示すフロー図。
【図４】前記制御部において実行されるデータ及びプログラム処理手順のうち，特に制限対象画像データ登録手順を示すフロー図。
【図５】複写元原稿の一部領域を指定して，該領域に含まれる画像データを抽出し，複写先原稿に複写する本発明の背景技術に係る概念図。
【図６】本発明に係る画像処理装置をネットワークに接続した場合の構成の一例を示すネットワーク図。
【図７】本発明に係る画像処理装置の一実施例である画像データの拡大・縮小処理を示す概念図。
【図８】本発明に係る画像処理装置の一実施例である画像データの合成処理および新たな原稿上への出力処理をしめす概念図。
【符号の説明】
【００２９】
１０・・・ＡＤＦ（Auto Document Feeder）
１１・・・搬送路
２０・・・画像処理制御装置
２１・・・露光装置
２２・・・ミラー
２３・・・光学レンズ
２４・・・ＣＣＤ
ＴA・・・複写元指定領域
ＴB・・・複写先指定領域
ａ・・・指定領域内画像データ
【図１】
2005217805.tif 000003
【図２】
2005217805.tif 000004
【図３】
2005217805.tif 000005
【図４】
2005217805.tif 000006
【図５】
2005217805.tif 000007
【図６】
2005217805.tif 000008
【図７】
2005217805.tif 000009
【図８】
2005217805.tif 000010